(57)【要約】【課題】店舗に設置された各機器から収集した情報を鑑みて警報を発することができる遠隔監視システムを提供する。【解決手段】監視側コントローラ４は、機器側コントローラ１２より収集された情報から単一、若しくは、複数の項目の組み合わせを選択する手段と、選択した項目、若しくは、複数の項目の組み合わせに対して警報条件を設定する手段と、選択した項目、若しくは、複数の項目の組み合わせが警報条件に合致した場合に警報を発する手段とを備える。【選択図】図１
2008042312.tif 000002
【特許請求の範囲】
【請求項１】
機器の制御を行う機器側コントローラと、該機器側コントローラとデータ通信可能に接続された監視側コントローラとから構築され、前記機器側コントローラより前記監視側コントローラに複数項目の情報を収集する遠隔監視システムであって、
前記監視側コントローラは、
前記機器側コントローラより収集された情報から単一、若しくは、複数の項目の組み合わせを選択する手段と、
選択した項目、若しくは、複数の項目の組み合わせに対して警報条件を設定する手段と、
前記選択した項目、若しくは、複数の項目の組み合わせが前記警報条件に合致した場合に警報を発する手段とを備えることを特徴とする遠隔監視システム。
【発明の詳細な説明】
【技術分野】
【０００１】
本発明は、機器の制御を行う機器側コントローラと、この機器側コントローラとデータ通信可能に接続された監視側コントローラとから構築され、機器側コントローラより監視側コントローラに複数項目の情報を収集する遠隔監視システムに関するものである。
【背景技術】
【０００２】
従来コンビニエンスストアやスーパーマーケット等の店舗には複数の機器（冷凍機や空調機など）が設置されている。該機器には、圧縮機、凝縮器、冷却器等を環状に接続して冷媒が封入された冷凍サイクルと、凝縮器に強制通風する送風機と、外気温度を検出するセンサと、凝縮器の冷媒出口温度を検出するセンサなどが備えられている。そして、これらのセンサはマイクロコンピュータに接続されている。
【０００３】
係るマイクロコンピュータは、外気温度が高いときに冷凍サイクルの冷却性能が確保できなくなる限界、若しくは、この限界から所定の安全度を有した状態の凝縮器の目詰まり量を限界目詰まり量として情報を収集している。そして、マイクロコンピュータは、この限界目詰まり量における各外気温度に対する凝縮器の冷媒出口温度を測定して警報の予知ラインを決定し、この警報の予知ラインをしきい値として、機器の異常を予知していた（特許文献１参照）。
【０００４】
一方、このような機器の異常を予知或いは予測した警報を、店舗と契約している監視センター（メンテナンス業者）にメールで通知する機能も提案されている。係る店舗と契約している機器のメンテナンス業者は、監視センターに設けられた監視側コントローラ（遠隔監視ソフト）で、各店舗に設置された機器の監視を行うと共に、店舗に設けられたマイクロコンピュータから機器の異常を予知した警報を、メールで受信し対処していた。
【特許文献１】特開平５−１０６５７号公報
【発明の開示】
【発明が解決しようとする課題】
【０００５】
しかしながら、係る従来の機器の異常を予知した警報は、環境によって判定条件が異なるため、店舗に設置された各機器の異常を予知する判定条件も異なる。このため、各店舗に設置された各機器の異常を予測する設定条件の変更が頻繁に行われていた。そこで、もっと周囲環境に鑑みて異常を予測して警報を発することができる遠隔監視システムの開発が望まれていた。
【０００６】
本発明は、係る従来技術の課題を解決するために成されたものであり、店舗に設置された各機器から収集した情報を鑑みて警報を発することができる遠隔監視システムを提供することを目的とする。
【課題を解決するための手段】
【０００７】
即ち、本発明の遠隔監視システムは、機器の制御を行う機器側コントローラと、該機器側コントローラとデータ通信可能に接続された監視側コントローラとから構築され、機器側コントローラより監視側コントローラに複数項目の情報を収集するものであって、監視側コントローラは、機器側コントローラより収集された情報から単一、若しくは、複数の項目の組み合わせを選択する手段と、選択した項目、若しくは、複数の項目の組み合わせに対して警報条件を設定する手段と、選択した項目、若しくは、複数の項目の組み合わせが警報条件に合致した場合に警報を発する手段とを備えることを特徴とする。
【発明の効果】
【０００８】
本発明によれば、機器の制御を行う機器側コントローラと、この機器側コントローラとデータ通信可能に接続された監視側コントローラとから構築され、機器側コントローラより監視側コントローラに複数項目の情報を収集する遠隔監視システムにおいて、監視側コントローラは、機器側コントローラより収集された情報から単一、若しくは、複数の項目の組み合わせを選択する手段と、選択した項目、若しくは、複数の項目の組み合わせに対して警報条件を設定する手段と、選択した項目、若しくは、複数の項目の組み合わせが警報条件に合致した場合に警報を発する手段とを備えているので、監視側コントローラにおいて、収集した任意の項目、或いは、それらの組み合わせに対して任意に警報条件を設定し、当該警報条件に合致した場合に警報を発することができるようになる。
【０００９】
これにより、本来機器側コントローラで行われている機器の異常に対する警報機能に加えて、当該機器が異常に至る危険性があることを予測するなど、様々な異常監視形態を監視側コントローラにおいて自由に構築することができるようになる。
【発明を実施するための最良の形態】
【００１０】
本発明は、複数の店舗に設置された各機器の周囲環境に鑑みて警報を発することができる遠隔監視システムを提供することを主な目的とする。各機器の周囲環境に鑑みて異常を予測して警報を発するという目的を、機器側コントローラにて収集した情報から単一、若しくは、複数の項目の組み合わせを選択する手段と、選択した項目、若しくは、複数の項目の組み合わせに対して警報条件を設定する手段と、選択した項目、若しくは、複数の項目の組み合わせが警報条件に合致した場合に警報を発する手段とを備えることにより実現した。
【実施例１】
【００１１】
以下、本発明の実施の形態を図面に基づいて説明を行う。図１は本発明の一実施例を示す遠隔監視システム１の概略図、図２は本発明の一実施例を示す遠隔監視システム１の選択した項目、若しくは、複数の項目の組み合わせに対して警報条件を設定する表示装置１４の画面をそれぞれ示している。
【００１２】
本実施形態における遠隔監視システム１は、例えば複数のコンビニエンスストアやスーパーマーケット等の店舗８に設置された機器１０類の統合管理を行う、店舗統合コントロールシステムに用いられるもので、図１に示すように店舗８に設置された複数台の機器１０の制御を行う機器側コントローラ１２と、この機器側コントローラ１２とネットワーク６を介してデータ通信可能に接続された監視側コントローラ４とから構築されている。
【００１３】
監視側コントローラ４と機器側コントローラ１２は、例えば、種々のデータを記憶可能な記憶装置（メモリ及びデータベース等）、或いは、カレンダ機能やタイマ機能などを備えた汎用のマイクロコンピュータにて構成され、メモリに記憶されたプログラムを実行する。該監視側コントローラ４は、図示しないが、マウスやキーボードなどの入力装置１６や、液晶ディスプレーなどの表示装置１４などを備えたコンピュータにて構成されている。
【００１４】
複数の機器側コントローラ１２と各機器１０にはそれぞれＩＤが割り当てられており、各機器側コントローラ１２とこれらの機器側コントローラ１２に接続された各機器１０はポーリング（各機器側コントローラ１２及び機器側コントローラ１２に接続された各機器に設けられた通信機器に一つ一つ通信して通信可能か否かのチェック）によって各機器１０の特定が行われる。
【００１５】
また、監視側コントローラ４は、各機器側コントローラ１２に割り当てられたＩＤによって受信したデータが何処の機器側コントローラ１２及び各機器１０であるかの特定が行われる。複数のコンビニエンスストアやスーパーマーケット等の店舗８に設置された複数の機器側コントローラ１２には、図示しないが商品を所定の温度で冷却、冷凍、或いは、保温や加熱などを行いながら陳列販売を行う冷蔵或いは冷凍用のオープンショーケースや扉付きショーケースなどの機器１０が設置されている。該これらの機器１０には冷凍機が設けられると共に、店舗８内には、当該店舗８内の好適な空調環境を実現するための空調機等が設置されている。
【００１６】
該監視側コントローラ４と複数の機器側コントローラ１２はネットワーク６を介して接続されており、この監視側コントローラ４は店舗８と所定距離離間したメンテナンス業者（監視センター２）に設置されている。また、ネットワーク６は、無線或いは有線にて接続された有料のローカルネットワークにて構成されており、このネットワーク６にて監視側コントローラ４と各機器側コントローラ１２とはデータ通信可能に接続されている。
【００１７】
係る機器側コントローラ１２は、店舗８に設置された複数の機器１０に異常（高圧異常、吐出温度異常、電流異常、温度異常、温度センサ異常、圧力センサ異常、インバータ異常など）が発生した場合、予めメモリに記憶された警報データ送信プログラムを実行して監視側コントローラ４に機器１０が異常である旨の警報データを送信すると共に、メンテナンス業者（機器１０の管理者）の携帯電話に、機器１０が異常である旨の警報データをメールで送信する。
【００１８】
該機器側コントローラ１２は、機器１０に異常が発生した場合ネットワーク６を介して監視側コントローラ４とメンテナンス業者の携帯電話に警報データを送信する。即ち、メンテナンス業者が何処にいても機器１０の警報データを伝えられるように、機器側コントローラ１２からメンテナンス業者の携帯電話へは、有料ネットワーク６を介して警報データがメールにて送信される。
【００１９】
該メールでは、異常が発生した店舗名、異常原因、異常が発生した機器１０のＮＯ、機器１０から冷媒供給を受けるオープンショーケースやショーケースの種類、異常が発生した発生日時や温度、圧力、電流、温度センサ、圧力センサなどの運転状態に関するデータ（情報）が送信される。このメールによって、店舗８と契約しているメンテナンス業者は、異常が発生した店舗名や機器１０の異常などを即座に確認すると共に、機器１０の修理に必要な道具や部品などを準備して店舗８に赴き的確、且つ、迅速に異常箇所が特定され、対処が行われていた。
【００２０】
しかし、機器１０に異常が発生してから、異常を特定し対処を行った場合、機器１０の損傷により長時間運転停止となって、店舗８に多大な損害が発生してしまう場合がある。そこで、本発明では監視側コントローラ４のメモリに機器１０に関する異常予測監視プログラムを記憶させている。該監視側コントローラ４は、各店舗８に設置された機器側コントローラ１２から、当該機器側コントローラ１２に接続された各機器１０の圧力、吐出温度、電流、温度センサ、圧力センサなどの運転状態に関する情報をリアルタイムで収集している。尚、各機器１０の圧力、吐出温度、電流、温度センサ、圧力センサなど、監視側コントローラ４が機器側コントローラ１２から収集する情報の種類を以降項目と称す。
【００２１】
異常予測監視プログラムは、各機器側コントローラ１２から収集した運転状態に関する任意の項目、或いは、それらの運転状態に関する項目の組み合わせに対して、任意に警報条件の設定を行えるように構成されている。この警報条件の設定は、メンテナンス業者が監視側コントローラ４に接続された入力装置１６を操作することにより行われる。以降、入力装置１６は指定のない限りマウスが使用されるものとする。
【００２２】
そして、異常予測監視プログラムは、機器側コントローラ１２から収集した各機器１０の運転状態を示す情報を基にして演算を行い、これから発生するであろう機器１０の異常を予測或いは予知を行う。即ち、監視側コントローラ４が、機器側コントローラ１２から受信した情報に、機器１０に異常が発生する兆候を示す情報が含まれている場合、監視側コントローラ４は、機器１０の異常の予測或いは異常の予知を行う。そして、監視側コントローラ４は、機器１０に発生した異常を予測或いは予知した情報を、メンテナンス業者に予測警報或いは予知警報としてメールの送信を行う。
【００２３】
該メンテナンス業者は受信した警報（メール）から、警報を送信した店舗名と機器１０の異常などを即座に確認することができる。即ち、異常予測監視プログラムは、機器側コントローラ１２に接続された各機器１０に異常が発生する以前に、機器１０の異常を予測してメンテナンス業者に予測警報或いは予知警報をメールで通知する。これによって、メンテナンス業者は、機器１０の修理に必要な道具や部品などを予め準備して、メールを受信した店舗名の店舗８に赴き的確、且つ、迅速に機器１０の異常箇所の対処が行われる。尚、以降、機器１０に発生した異常の予測警報或いは予知警報を単に警報と称す。
【００２４】
一方、監視側コントローラ４（異常予測監視プログラム）には、機器側コントローラ１２より収集した各機器１０の情報から単一、若しくは、複数の項目の組み合わせを選択する手段と、選択した項目、若しくは、複数の項目の組み合わせに対して警報条件を設定する手段とを備えている。また、選択した項目、若しくは、複数の項目の組み合わせが警報条件に合致した場合に警報を発する手段も備えている。
【００２５】
また、監視側コントローラ４（異常予測監視プログラム）は、設定された項目が警報条件に合致した場合、警報を発する。具体的には、監視側コントローラ４は、各機器側コントローラ１２から収集した情報と、設定された項目とが警報条件に合致した場合、機器１０の異常情報をメンテナンス業者の携帯電話にメールにて送信（本発明の警報を発する手段に相当）する。
【００２６】
これにより、メンテナンス業者が機器１０の修理に必要な道具や部品などを予め準備して、受信したメールに記録された店舗名の店舗８に赴き的確、且つ、迅速に機器１０の異常箇所の対処が行われることとなる。尚、監視側コントローラ４は、各機器側コントローラ１２から収集した情報と、設定された項目が警報条件に合致した場合、その機器１０の異常情報を表示装置１４にも表示を行う。
【００２７】
次に、遠隔監視システム１を図２〜図３を参照して、情報の収集を行う店舗名の設定と、選択した項目、若しくは、複数の項目の組み合わせに対して警報条件を設定する手段と、機器側コントローラ１２より収集した各機器１０の情報から単一、若しくは、複数の項目の組み合わせを選択する手段とを手順を追って詳しく説明を行う。尚、監視側コントローラ４のデータベースには、予めネットワーク６に接続された複数の店舗名、及び、機器１０類が記憶されているものとする。また、監視側コントローラ４は、各店舗８に設置された機器側コントローラ１２から運転状態に関する情報（異常を検出するための情報）をリアルタイムで取得しているものとする。
【００２８】
手順Ｉでは、情報の収集を行う店舗名の設定を行う。即ち、監視側コントローラ４のメモリに記憶された異常予測監視プログラムが実行されると、表示装置１４に店舗名登録画面が表示され、この店舗名登録画面にデータベースに記憶された複数の店舗名が表示される。そして、メンテナンス業者が入力装置１６（マウス）の操作を行い、店舗名登録画面に表示された複数の店舗名の中から任意の店舗名の選択を行う。次に、メンテナンス業者は、表示装置１４に表示されたＯＫのマークに入力装置１６のカーソルを合わせてクリックを行う。これにより、情報の収集を行う店舗名が選択され、決定される。
【００２９】
手順ＩＩでは、警報名、或いは、異常状態(この場合名称のみ)の設定を行う。即ち、手順Ｉの店舗名の設定が終了すると、表示装置１４に図示しない警報名設定画面が表示され、この警報名設定画面に通信異常、機器１０の運転負荷異常などの警報名が表示される。そして、メンテナンス業者が、警報名設定画面に表示された通信異常、機器１０の運転負荷異常などの警報名に入力装置１６のカーソルを合わせてクリックする。これにより、警報名、或いは、異常状態が設定され、決定される。
【００３０】
手順ＩＩＩでは、機器１０の異常状態を検出して警報を発する説明を行う。まず、手順ＩＩＩのＩＩＩ−１では、項目の選択、及び、複数の項目の組み合わせに対しての警報条件の設定（本発明の機器側コントローラ１２より収集された情報から単一、若しくは、複数の項目の組み合わせを選択する手段に相当）の説明を行う。即ち、手順ＩＩを終了すると表示装置１４に項目（図中アイテム）及び判定式の入力を行う変数登録画面Ｇ１が表示される（図２）。
【００３１】
この変数登録画面Ｇ１の左側には、項目の選択を行う左右横長の第１項目入力枠Ａ１が表示され、右側には２つ目の項目の選択を行う左右横長の第２項目入力枠Ａ２が表示されている。また、第１項目入力枠Ａ１と第２項目入力枠Ａ２の間には、両項目の判定を行う判定入力枠Ｊ１が表示されている。そして、メンテナンス業者が、入力装置１６のカーソルを第１項目入力枠Ａ１に合わせてクリックすると、表示装置１４に表示された画面が切り替わって項目選択画面Ｇ２が表示され、この項目選択画面Ｇ２にデータベースに記憶された複数の項目名が表示される（図３）。
【００３２】
次に、メンテナンス業者が、入力装置１６を操作して項目選択画面Ｇ２に表示された多数の項目の中から、機器１０の異常時に警報を発するための任意の項目を選択し、カーソルを合わせてクリックすると、その選択した項目が決定され、登録される。このとき、項目選択画面Ｇ２に表示された項目には、当該項目の右側に連続して、監視側コントローラ４が機器側コントローラ１２からリアルタイムで取得した情報（図示せず）が表示される。尚、第１項目入力枠Ａ１に登録される複数の項目には、Ｘ００からＸ０１、Ｘ０２・・・と順番に変数が付与される。尚、項目選択画面Ｇ２に表示された複数の項目名に連続して監視側コントローラ４が機器側コントローラ１２からリアルタイムで取得した情報を表示しても差し支えない。
【００３３】
そして、メンテナンス業者は、監視側コントローラ４が店舗８の機器側コントローラ１２からリアルタイムで取得した情報から、機器１０の異常時に警報を発するための検出用パラメータとなるもの（情報）を選択する。該パラメータとしては、例えば、監視側コントローラ４が店舗８に設けられた機器側コントローラ１２からリアルタイムで収集している圧縮機や室内機の吸込温度や吐出温度或いは風速、空調機の熱交換コイル温度や熱交換液温度、外気温度、室外機ファン速調、電流値、周波数等が挙げられる。
【００３４】
次に、メンテナンス業者が、変数登録画面Ｇ１（図２）の右側に表示された第２項目入力枠Ａ２に入力装置１６のカーソルを合わせクリックすると、第１項目入力枠Ａ１と同様にデータベースに記憶された複数の項目名が表示される（図３）。そして、メンテナンス業者が、入力装置１６を操作して項目選択画面Ｇ２に表示された多数の項目の中から、機器１０の異常時に警報を発するための任意の項目を選択し、カーソルを合わせてクリックすると、その選択した項目が決定される。
【００３５】
このときも、前述同様項目選択画面Ｇ２に表示された項目には、当該項目の右側に連続して、監視側コントローラ４が機器側コントローラ１２からリアルタイムで取得している機器１０の情報が表示される。即ち、監視側コントローラ４は、リアルタイムで店舗８の機器側コントローラ１２から取得した情報から、機器１０の異常時に警報を発するための検出用パラメータとなるものを選択する。尚、パラメータは、変数登録画面Ｇ１に表示された変数、浮動小数点定数、整数定数などを入力装置（マウス）でクリックすることにより入力装置１６（キーボード）にて修正できるようになっており、必要に応じて修正が行われる。また、以降の説明では、第１項目入力枠Ａ１内の項目は、第２項目入力枠Ａ２に数値を入力し、この数値を判定条件として説明を行う。
【００３６】
また、手順ＩＩＩのＩＩＩ−２では、機器１０がどのような状態のときに警報を発するかの判定（本発明の選択した項目、若しくは、複数の項目の組み合わせに対して警報条件を設定する手段に相当）を行う。そして、メンテナンス業者が、変数登録画面Ｇ１（図２に図示）の左側に表示された左右横長の項目選択枠Ｋ１に入力装置１６のカーソルを合わせ、クリックして１つ目の項目を選択し、右側に表示された左右横長の項目入力画面Ｋ２に入力装置１６のカーソルを合わせ、クリックして２つ目の項目を選択する。
【００３７】
そして、２つの項目が選択された後、左右の項目選択枠Ｋ１、Ｋ２との間に表示されている左右横長の判定入力枠Ｊ１にて、機器１０の異常時に警報を発するための判定記号が選択される。判定記号の選択は、判定入力枠Ｊ１の右側に設けられた三角印（▼）に、入力装置１６のカーソルを合わせクリックすると、判定に使用する判定記号がプルダウンメニュー（図示せず）にて表示される。
【００３８】
該監視側コントローラ４のメモリには、予め判定入力枠Ｊ１内に入力する複数の判定記号（ＡＮＤ、ＯＲ、ビット、或いは、＝、＞、＜など）が登録されている。そして、メンテナンス業者が、入力装置１６を操作して、プルダウンメニューに表示された任意の判定記号を選択してカーソルを合わせクリックを行うと、判定入力枠Ｊ１内に選択した判定記号が入力される。尚、異常予測監視プログラムには設定した情報（項目、判定記号等）の変更、追加、削除などの機能を有しているが、それらの機能の説明は省略している。
【００３９】
これにより、機器１０の異常時に警報を発するための判定式が決定される。また、機器１０の異常発生に複数の情報から異常を検出する場合は、手順ＩＩＩ−１〜ＩＩＩ−２を繰返し実行して、最終的な判定式を設定する。尚、第２項目入力枠Ａ２内には、第１項目入力枠Ａ１で選択された項目の情報に対して、予め機器の異常時に警報の基準となる数値が入力されている。この場合も、機器の異常時に警報を発するためのパラメータは、入力装置（キーボード）にて修正できるようになっており、必要に応じて修正が行われる。
【００４０】
手順ＩＩＩのＩＩＩ−３では、機器１０の異常を複数の情報から警報を発する場合の設定（本発明の選択した項目、若しくは、複数の項目の組み合わせが警報条件に合致した場合に警報を発する手段に相当）を行う。即ち、手順ＩＩＩのＩＩＩ−２が終了すると図４に示すような警報登録画面Ｇ３が表示され、この警報登録画面Ｇ３にて機器１０に異常が発生したとき警報を発する最終的な判定式を登録する。この警報登録画面Ｇ３では、警報登録名、検知条件、判定式、警報条件及び警報時間（警報までの時間）などが設定される。尚、警報登録画面Ｇ３については後で詳しく説明を行う。
【００４１】
メンテナンス業者は、最終的な判定式を設定した後、入力装置１６にて機器１０に異常が発生した旨のメールを携帯電話機に送信するまでの遅延時間を設定する。遅延時間を設定したら、次に、警報を送信するメールの送信先を登録（メールアドレスの登録）を行って完了する。そして、上述の様な設定が機器１０の警報を発する店舗８別、機器１０別に行われる。これにより、店舗８と契約しているメンテナンス業者の携帯電話機に、何れの店舗８で機器１０の異常が発生した場合でも、機器１０が異常である旨の警報をメールで送信し知らせることが可能となる。
【００４２】
次に、機器１０の運転状態に異常が発生した場合に警報を行う警報登録を図５を参照して具体的な説明を行う。尚、この説明では店舗８に設置された機器１０の通信系に不具合が発生した場合の警報の説明を行う。この場合、警報登録画面Ｇ３で、警報登録名に機器１０の通信系アプリ動作不具合、検知条件名に機器１０の通信異常が登録されている。また、第１項目入力枠Ａ１、第２項目入力枠Ａ２、及び、判定入力枠Ｊ１に所定の情報及び数値が入力されて既に判定式が設定されている。
【００４３】
該表示装置１４に表示された警報登録画面Ｇ３には、機器側コントローラ１２から収集した情報が表示されており、異常予測監視プログラムは、収集した多数の情報から通信に異常状態が発生したか否かの判定を行う。即ち、警報登録画面Ｇ３に表示された画面の一番上の１行目（変数Ｘ００）には、１つ目の判定式が表示されている。該１つ目の判定式では、項目（変数登録画面Ｇ１の第１項目入力枠Ａ１に入力された項目）にＧ１３弁当通信エラー、判定記号に！＝、項目（変数登録画面Ｇ１の第２項目入力枠Ａ２で入力された項目）に判定条件としてビット０が設定されている。即ち、１つ目の判定式（Ｇ１３弁当通信エラー  ！＝  ０）では、ビットが０以外であった場合、通信異常状態を検出する条件を意味している。
【００４４】
また、警報登録画面Ｇ３の一番上から２行目、及び、それ以下の行（変数Ｘ０１〜Ｘ０６）では、１つ目の判定式と同様の通信異常を検出する判定式が定義されている。即ち、左側には複数段の項目（変数登録画面Ｇ１の項目入力枠Ａ１で入力された項目）が設定され、その右側にはそれぞれ通信エラービットに関する判定記号！＝が設定され、それらの右側の項目（変数登録画面Ｇ１の第２項目入力枠Ａ２で入力された項目）に０が設定される。そして、各変数が例えばＡＮＤで接続される。
【００４５】
係る変数を４個接続する場合は、変数（Ｘ０７）でＸ００とＸ０１とをＡＮＤで接続する。同様に変数（Ｘ０８）でＸ０２とＸ０３、変数（Ｘ０９）でＸ０４とＸ０５、変数（Ｘ１０）でＸ０６とＸ０７、変数（Ｘ１１）でＸ０８とＸ０９をＡＮＤで接続する。そして、変数登録画面Ｇ１で示すように、変数を４個接続する場合は、変数Ｘ１２で変数Ｘ０７（Ｘ００とＸ０１）と変数Ｘ０８（Ｘ０２とＸ０３）とをＡＮＤで接続する。同様に変数Ｘ１３で変数Ｘ０９（Ｘ０４とＸ０５）と変数Ｘ１０（Ｘ０６とＸ０７）を接続し、変数Ｘ１４で変数Ｘ１１（・・・）と変数Ｘ１２（・・・）をＡＮＤで接続する。更に変数Ｘ１５で変数Ｘ１３（・・・）と変数Ｘ１４（・・・）をＡＮＤで接続する。このようにして、変数全てがＡＮＤで接続される。
【００４６】
この場合、変数Ｘ００〜Ｘ０６全てがＡＮＤで接続された判定式が条件となり、最終的に検出すべき異常状態と判定して、警報が出力されるように設定されている。また、機器側コントローラ１２から収集した情報が最終的な判定式に合致した場合、監視側コントローラ４が警報を発するまでの時間が６００秒に設定される。尚、図５では変数Ｘ１２〜Ｘ１５は図示していない。また、変数の組み合わせは、単一、若しくは、複数の項目を組み合わせても差し支えない。
【００４７】
即ち、変数Ｘ００から最後の変数Ｘ０９までの全てがＡＮＤで接続されることにより警報条件が設定され、このＡＮＤで接続された判定式が機器側コントローラ１２から収集した情報と合致した場合、最終的に検出すべき異常状態と判定される。従って、監視側コントローラ４は、各機器１０が同時に、全て通信異常状態になり、その状態が６００秒経過した段階で、通信異常状態が発生した店舗名や機器１０名、チャンネル名などを示すメールをメンテナンス業者の携帯電話に送信する。これにより、メンテナンス業者が予め機器１０の修理に必要な道具や部品などを準備して、受信したメールに記録された店舗名の店舗８に赴き的確、且つ、迅速に通信異常の対処が行われることとなる。
【００４８】
このように、監視側コントローラ４は、機器側コントローラ１２より収集された情報から単一、若しくは、複数の項目の組み合わせを選択する手段と、選択した項目、若しくは、複数の項目の組み合わせに対して警報条件を設定する手段と、選択した項目、若しくは、複数の項目の組み合わせが警報条件に合致した場合に警報を発する手段とを備えているので、監視側コントローラ４において、収集した任意の項目、或いは、それらの組み合わせに対して任意に警報条件を設定し、当該警報条件に合致した場合に監視側コントローラ４からメンテナンス業者の携帯電話機に警報（メール）を発することができるようになる。
【００４９】
これにより、本来機器側コントローラ１２で行われている各機器１０の異常に対する警報機能に加えて、監視側コントローラ４において、機器１０が異常になる兆候が発生した場合に、機器１０の異常予測を行うなど、様々な異常監視形態を自由に構築することができるようになる。
【実施例２】
【００５０】
次に、図６には本発明の他の実施例の遠隔監視システム１を示している。尚、実施例２では、機器１０の運転負荷に異常が発生した場合の警報送信の具体例の説明を行う。該遠隔監視システム１は、前述の実施例と略同じ構成を有している。以下、異なる部分について説明を行う。尚、前述の実施例と同じ部分にはこれと同じ符号を付し、説明を省略する。
【００５１】
この場合、警報登録名をショーケース負荷検知、検知条件名には空白（無し）として登録されている。尚、第１項目入力枠Ａ１、第２項目入力枠Ａ２、及び、判定入力枠Ｊ１に判定記号が入力されて既に判定式が設定されているものとする。該機器１０、特にオープンショーケースは前面が開口しており、このようなオープンショーケースは、空調機（エアコン）の設定温度に影響を受け易いので、異常予測監視プログラムでは、空調機の室内設定温度も併用して、機器１０（ショーケース）の負荷検知を行うようにしている。
【００５２】
該表示装置１４に表示された警報登録画面Ｇ３には、図６に示すように機器側コントローラ１２から収集した情報が表示されており、異常予測監視プログラムは、収集した多数の情報からショーケースの運転負荷に異常が発生したか否かの判定を行う。即ち、警報登録画面Ｇ３に表示された画面の一番上の１行目（変数Ｘ００）には、１つ目の判定式が表示されている。該１つ目の判定式では、項目（変数登録画面Ｇ１の第１項目入力枠Ａ１に入力された項目）にＴＳ＿Ｃ室内機設定温度（冷）、判定記号に＝＞、項目（変数登録画面Ｇ１の第２項目入力枠Ａ２に入力された項目）に２４（＋２４℃の意味）が設定されている。即ち、１つ目の判定式（ＴＳ＿Ｃ室内機設定温度（冷）  ＝＞  ２４）では、空調機の室内設定温度が警報条件として＋２４℃以上であるかを検出する判定式を意味している。
【００５３】
また、警報登録画面Ｇ３の一番上から２行目（変数Ｘ０１）には項目（変数登録画面Ｇ１の第１項目入力枠Ａ１に入力された項目）にＺ２ＢＩＧ１４冷蔵（２）庫内温度、判定記号に＜＝、項目（変数登録画面Ｇ１の第２項目入力枠Ａ２に入力された項目）に５、３行目（変数Ｘ０２）には項目（変数登録画面Ｇ１の第１項目入力枠Ａ１に入力された項目）にＺ３ＢＩＧ１５冷蔵（３）庫内温度、判定記号に＜＝、項目（変数登録画面Ｇ１の第２項目入力枠Ａ２に入力された項目）に５、４行目（変数Ｘ０３）には項目（変数登録画面Ｇ１の第１項目入力枠Ａ１に入力された項目）にＺ４ＢＩＧ１６冷蔵（４）庫内温度、判定記号に＜＝、項目（変数登録画面Ｇ１の第２項目入力枠Ａ２に入力された項目）に５が設定されている。
【００５４】
上記判定式を簡単に説明すると、変数Ｘ０１は、Ｚ２ＢＩＧ１４冷蔵（２）庫内温度＜＝５、変数Ｘ０２は、Ｚ３ＢＩＧ１５冷蔵（３）庫内温度＜＝５、変数Ｘ０３は、Ｚ４ＢＩＧ１６冷蔵（４）庫内温度＜＝５に設定されている。即ち、警報登録画面Ｇ３の２行目から４行目の判定式で、Ｇ１４、Ｇ１５、Ｇ１６のショーケースの庫内設定温度が警報条件として＋５℃以下であるかが設定されている。この判定式では、各ショーケースの庫内設定温度に対し、空調機の室内設定温度が高いことによる、省エネ効果への影響を検出するための判定式となっている。
【００５５】
即ち、変数（Ｘ０４）でＸ００とＸ０１、変数（Ｘ０５）でＸ０２とＸ０３が選択され、それらの全てがＡＮＤで接続された判定式が、最終的に検出すべき異常状態と判定できるように設定されている。また、機器側コントローラ１２から収集した情報が最終的な警報条件を判定する判定式に合致した場合、監視側コントローラ４が警報を発するまでの時間が３６００秒に設定されている。従って、空調機の室内設定温度が一定以上の状態（警報条件として＋２４℃）に設定されているにもかかわらず、Ｇ１４〜Ｇ１６の各ショーケースの庫内温度が、ある一定以下の低い温度（実施例では＋５℃）の状態が３６００秒継続した段階で、監視側コントローラ４からメンテナンス業者の携帯電話機に警報がメールで送信されることとなる。
【００５６】
これにより、メンテナンス業者が機器１０の修理に必要な道具や部品などを予め準備して、受信したメールに記録された店舗名の店舗８に赴き的確、且つ、迅速にショーケースの運転負荷に異常が発生してしまうのを防止し、好適な省エネ化を図ることができるようになる。
【００５７】
尚、実施例１では、所定の項目の判定式で説明したが、判定式は実施例１で説明した所定の項目の判定式に限らず、監視側コントローラ４にて、機器側コントローラ１２に接続された全ての機器１０（ショーケース以外の空調、冷凍機等も含む）の通信状態（通信異常ビット）を監視して、これらの項目が同時に通信異常となった場合に、統合コントローラの制御ソフト、或いは、監視側コントローラ４のＯＳに異常が発生したと判断するようにしても差し支えない。
【００５８】
また、実施例２でも、所定の判定式で説明したが、判定式は実施例２で説明した所定の判定式に限らず、各機器１０の運転状態から省エネ効果を判定するための項目の判定式を設定するようにしても差し支えない。
【００５９】
勿論本発明は、上記各実施例のみに限定されるものではなく、この発明の範囲を逸脱することなく他の様々な変更を行っても本発明は有効である。
【図面の簡単な説明】
【００６０】
【図１】本発明の一実施例を示す遠隔監視システムの概略図である（実施例１）。
【図２】本発明の一実施例を示す遠隔監視システムの選択した項目、若しくは、複数の項目の組み合わせに対して警報条件を設定する表示装置の画面を示す図である。
【図３】機器側コントローラからリアルタイムで収集した項目が表示された表示装置の画面を示す図である。
【図４】機器の異常を判定する最終的な判定式を設定する表示装置の画面を示す図である。
【図５】実際の機器の異常を判定する最終的な判定式を設定する表示装置の画面と、選択した項目、若しくは、複数の項目の組み合わせに対して警報条件を設定する表示装置の画面を示す図である。
【図６】実際の機器の異常を判定する最終的な判定式を設定する表示装置の画面と、選択した項目、若しくは、複数の項目の組み合わせに対して警報条件を設定する表示装置の画面を示す図である（実施例２）。
【符号の説明】
【００６１】
１  遠隔監視システム
２  監視センター
４  監視側コントローラ
６  ネットワーク
８  店舗
１０  機器
１２  機器側コントローラ
１４  表示装置
１６  入力装置
Ａ１  第１項目入力枠
Ａ２  第２項目入力枠
Ｊ１  判定入力枠
Ｋ１  項目選択枠
Ｋ２  項目選択枠
Ｇ１  変数登録画面
Ｇ２  項目選択画面
Ｇ３  警報登録画面
【図１】
2008042312.tif 000003
【図２】
2008042312.tif 000004
【図３】
2008042312.tif 000005
【図４】
2008042312.tif 000006
【図５】
2008042312.tif 000007
【図６】
2008042312.tif 000008